(57)【特許請求の範囲】
【請求項１】
商品を冷温いずれかの状態で保存する庫内の前面を開閉可能に閉鎖する断熱性の内扉を有し、この内扉の下方に開けた角孔に、内扉表面に当接するフランジを有する四角形状の枠体を嵌め込み商品通路を形成するとともに、フラッパの上部の両端部に設けた軸を前記枠体の上部両隅に設けた前方に開口部を有する軸受に嵌め込こんで吊り下げ、該フラッパが常時は商品通路を閉鎖しており商品の通過時に商品により押し開けられるようにし、該フラッパの開放角度がフラッパの揺動軌跡位置に突出する扉枠により規制された自動販売機において、前記フラッパの扉枠と対峙する位置であってフラッパの略全幅に渡って前方に突出する突起部を設けることを特徴とする自動販売機の内扉。
【請求項２】
請求項１記載の自動販売機の内扉において、フラッパの軸に近接して該フラッパが垂下状態のとき、その底面が垂直方向を向く切り込み部を設けるとともに、該切り込み部に対向する部分の枠体に、該フラッパを水平状態にして軸を軸受に装着する際は切り込み部を素通しし、該フラッパの垂下状態では前記軸の抜け止めを行うストッパを設けることを特徴とする自動販売機の内扉。
【発明の詳細な説明】
【０００１】
【発明の属する技術分野】
この発明は、缶入り飲料などの商品を販売する自動販売機において、断熱室としてなる庫内の前面を開閉可能に閉鎖する自動販売機の内扉に関する。
【０００２】
【従来の技術】
図５は本発明の対象となる自動販売機の構成図、図６は従来例の要部断面図を示す。この図５、図６において、１は内部を断熱区画した商品収納庫２の庫内に商品収納棚３を収納した本体キャビネット、４Ａ，４はそれぞれ２分割され、商品収納庫２の前面に配備されるとともに開閉可能な上下の内扉である。５は内扉４の下部に開口する商品通路であり、該商品通路５はその開口に嵌め込まれる四角形状の周枠と、内扉４の表面に当接するフランジ６ａ、周枠の上端側に商品通路５の一部を閉鎖するように内向きに折り曲げた折り曲げ部６ｂを有する枠体６により形成される。７は前記の折り曲げ部６ｂの左右両側から前方に突出させて、上部の周枠と、前記折り曲げ部６ｂともに前方に開口した軸受８を形成する弾性体で構成した舌片であり、前記軸受８にはフラッパ９の上部両端部に形成した軸１１が嵌め込まれ、フラッパ９が揺動可能に吊り下げられている。９ａは軸１１に後述の取出口から釘抜きなどが差し込まれないようにする防盗板であり、防盗板９ａはねじ９ｂによりフランジ部６ａに取り付けられている。１２は本体キャビネット１の前面を開閉可能に閉鎖する外扉、１３は外扉１２の下部に開口し、前面をフラッパ１０で揺動可能に閉鎖された取出口、１４は商品通路５に吊り下げたフラッパ９の開度を制限する扉枠、１５は商品を示す。この図５、図６において、商品１５は本体キャビネット１の内部を断熱区画して形成した商品収納庫２の内部に収納した商品収納棚３に種類毎に分別して冷温いずれかの状態で保存されており、外扉１２の前面の操作部（図示せず）からの操作により選択された商品１５が前記収納棚３からシュート上に搬出され、シュート上を転動して内扉４に開口した商品通路５に吊り下げたフラッパ９を押し開けて外扉１２の取出口１３に搬出される。なお、フラッパ９は扉枠１４により開度が制限されており、フラッパ１０を開いて手を内部に挿入しようとするのを防止する。
【０００３】
また、内扉４Ａは商品収納棚３に商品を補充する商品投入口を閉鎖するのに使用され、商品を補充する際は下側の内扉４は閉鎖した状態で上側の内扉４Ａのみ開放して補充する。
【０００４】
【発明が解決しようとする課題】
ところで取出口１３から手を差し込んで商品を盗むという悪戯に対しては、フラッパ９の開度を扉枠１４により規制することにより対応しているが、フラッパ９の開度が制限されているので、フラッパ９自体を外してしまうという悪質な悪戯もある。これは取出口１３から棒状の部材を差し込んでフラッパの軸を軸受から外してフラッパを取り外してしまうというものである。このような悪戯に対して防盗板９ａを下方に長くしたり、扉枠１４を取出口１３側に張り出すことが考えられるが、これらの場合フラッパ９の開度が制限されることから、商品１５の円滑な搬出が阻害されるという問題がある。
【０００５】
この発明は上記課題を解決するためになされたもので、その目的とするところは外扉を閉鎖した状態ではフラッパを商品通路から抜き取れなくした自動販売機の内扉を提供することにある。
【０００６】
【課題を解決するための手段】
上記課題を解決するために請求項１記載の発明は、商品を冷温いずれかの状態で保存する庫内の前面を開閉可能に閉鎖する断熱性の内扉を有し、この内扉の下方に開けた角孔に、内扉表面に当接するフランジを有する四角形状の枠体を嵌め込み商品通路を形成するとともに、フラッパの上部の両端部に設けた軸を前記枠体の上部両隅に設けた前方に開口部を有する軸受に嵌め込こんで吊り下げ、該フラッパが常時は商品通路を閉鎖しており商品の通過時に商品により押し開けられるようにし、該フラッパの開放角度がフラッパの揺動軌跡位置に突出する扉枠により規制された自動販売機において、前記フラッパの扉枠と対峙する位置であってフラッパの略全幅に渡って前方に突出する突起部を設けることを特徴とする。
【０００７】
上記構成によりフラッパの軸を枠体から取り外そうとして商品の取出口から棒状部材を差し込もうとしてもフラッパの突起部が邪魔をするので外扉を閉鎖した状態ではフラッパを取り外すことが困難になり庫内の商品を盗む悪戯を防止することが可能になる。
【０００８】
また、請求項２記載の発明のように、請求項１記載の自動販売機の内扉において、フラッパの軸に近接して該フラッパが垂下状態のとき、その底面が垂直方向を向く切り込み部を設けるとともに、該切り込み部に対向する部分の枠体に、該フラッパを水平状態にして軸を軸受けに装着する際は切り込み部を素通しし、該フラッパの垂下状態では前記軸を抜け止めを行うストッパを設けることを特徴とする。
【０００９】
上記構成によりフラッパの軸を軸受に押し込む際はフラッパを水平にしてその状態では切り込みの底部が略水平になるよう構成し、前記切り込み部を枠体のストッパを素通りさせて軸を軸受に押し込みフラッパの使用状態である略垂直状態から商品により押し開けられるまでの開度（フラッパが外扉の扉枠に邪魔されてそれ以上開かなくなる位置）の範囲では前記切り込み部の底面は垂直に近い角度を持つのでストッパにより軸が軸受から外れるのを防止することが可能になる。
【００１０】
【発明の実施の形態】
図１はこの発明の実施の形態の主要部の断面構成図、図２は図１のＡ矢視図を示す。この図１、図２において、従来例と同一の符号を付けた部材はおおよそ同一の機能を有するのでその説明は省略する。また、この発明の内扉が適用される自動販売機の構成は図６と同じであるのでその説明は省略する。この図１、図２に示す実施例が従来例と相違する点は、フラッパ９Ａである。このフラッパ９Ａは扉枠１４と対峙する位置であって、その前面の略全幅に渡って前方に突出した突起部９ａを設けている。このように、フラッパ９Ａに突起部９ａをもうけることにより突起部９ａと、外扉１２の扉枠１４とによって、外扉１２の取出口からフラッパ９Ａの軸１１に通じる通路を遮断して棒状部材を差し込んでフラッパ９Ａを取り外す悪戯を防止している。
【００１１】
なお、フラッパ本体の前方えの突起部９ａの下部は断面が円弧状で、表面に複数個の補強用の縦リブと縦リブから突起部９ａの下部への補強板を設けた構造になっている。
【００１２】
図３はこの発明の別の実施の形態の主要部の構成を示し、図４（ａ）は図３のフラッパの正面図、（ｂ）はその側面図、（ｃ）は（ａ）のＸ−Ｘ矢視図を示す。この図３、図４において、従来例と同一の符号を付けた部材はおおよそ同一の機能を有するのでその説明は省略する。また、この図３は外扉を開放した状態の図を示す。この図３、図４において、６ｂは枠体６の上部の周枠の部分に突設して後述の軸１１が通常使用状態では抜けないようにするストッパ、９Ｂは軸１１に近接した両端部に断面がＤ字状になるようにした切り込み部１０ａを有するとともに、前面の略全幅に渡って前方に突出した突起部９ａを有するフラッパであり、前記切り込み部１０ａの底面はフラッパ９Ｂを略水平にした状態で略水平になるようにしている。
【００１３】
この図３、図４に示す実施例が図１、図２に示す実施例と異なる点は、フラッパの軸を円柱のみとする代わりに円柱に断面がＤ字状になる切り込み部を設けるとともに、商品通路の枠体には前記切り込み部に対向する位置にストッパ６ｂを設けて、フラッパ９Ｂを水平にして軸受８に軸１１を挿入する際は前記切り込み部１０ａでストッパ６ｂを躱して素通りし、フラッパ９Ｂの垂直位置から商品により押し開けられる常時開位置までの開度では切り込み部の底面は水平にならないので切り込み部１０ａの無い部分がストッパ６ｂに当たって抜け止めになり、フラッパ９Ｂが外せないようにした点である。
【００１４】
【発明の効果】
この発明によれば、悪戯によるフラッパの抜き取りを防ぐので庫内の商品の盗難を防止する効果がある。
【図面の簡単な説明】
【図１】この発明の実施の形態の主要部分の断面構成図
【図２】図１のＡ矢視図
【図３】この発明の別の実施の形態の主要部分の断面構成図
【図４】図３のフラッパを示し、（ａ）はフラッパの正面図、（ｂ）はその側面図、（ｃ）は（ａ）のＸ−Ｘ矢視図
【図５】自動販売機の構成図
【図６】従来例の要部断面図
【符号の説明】
６ｂ                        ストッパ
９，９Ａ、９Ｂ              フラッパ
９ａ                        突起部
１０                          フラッパ
１０ａ                        切り込み部
１１                          軸
【図１】
0003684922.tif 000002
【図２】
0003684922.tif 000003
【図３】
0003684922.tif 000004
【図４】
0003684922.tif 000005
【図５】
0003684922.tif 000006
【図６】
0003684922.tif 000007